(57)【要約】    【課題】出隅方立におけるシール材を外部から目視することが困難であって、もって外観が向上した外壁材を提供する。    【解決手段】押出形材でなる出隅方立１が、室外側部分１ａと躯体への取付け部１ｂとからなる。室外側部分１ａは、互いに角度をなして設けられた２つのガラス装着溝２０、２１を有する。各ガラス装着溝２０、２１にシール材２２、２３、３０、３１を介してガラスパネル４の端部を嵌着する。躯体への取付け部１ｂは、２つのガラス装着溝２０、２１の間から室内側に突出して設けられる。躯体への取付け部１ｂは、その室内側端部の幅ａより、室外側部分側の幅ｅが狭くなる（ａ＞ｅ）ように形成する。これにより、室内外のパネル保持部２４（２５）と３２（３３）との間の突出量の差ｇが小さくなり、これに伴い室内側シール材３０、３１が外部から見えにくくなり、外観が向上する。【選択図】図３
2006028814.tif 000002
【特許請求の範囲】
【請求項１】
押出形材でなる出隅方立が、室外側部分と躯体への取付け部とからなり、
前記室外側部分は、互いに角度をなして設けられた２つのガラス装着溝を有し、各ガラス装着溝にシール材を介してガラスパネルの端部を嵌着し、
前記躯体への取付け部は、前記２つのガラス装着溝の間から室内側に突出して設けられ、
前記躯体への取付け部は、その室内側端部の幅より、前記室外側端部の幅が狭くなるように形成した
ことを特徴とする外壁材。
【発明の詳細な説明】
【技術分野】
【０００１】
本発明は、押出形材でなる出隅方立を躯体に結合し、この出隅方立と隣接する方立および上下の無目との間にガラスパネルを取付けてなる外壁材に関する。
【背景技術】
【０００２】
従来の外壁材として、特許文献１には、躯体に対してブラケットを介して押出形材でなる出隅方立を結合し、この出隅方立と隣接する方立および上下の無目との間にガラスパネルを取付けてなる外壁材が記載されている。
【０００３】
【特許文献１】特開平４−２０３０５１号公報
【発明の開示】
【発明が解決しようとする課題】
【０００４】
上記従来の出隅方立は、他の方立と同様に、ガラスパネルを装着する溝がほぼ直交する方向に向けて形成され、この直交するパネル装着溝を形成した室外側部分から室内側に突出して形成された躯体への取付け部とを有しているが、出隅方立のパネル装着溝を形成する室内側パネル保持部が、室外側保持部より左または右側に突出する。そして、ガラスパネルは透明であるため、室内側パネル保持部とガラスパネルとの間のシール材が外部から見え、このため、外観が悪いという問題点がある。
【０００５】
本発明は、上記問題点に鑑み、出隅方立におけるシール材を外部から目視することが困難となり、もって外観が向上した外壁材を提供することを目的とする。
【課題を解決するための手段】
【０００６】
本発明の外壁材は、押出形材でなる出隅方立が、室外側部分と躯体への取付け部とからなり、
前記室外側部分は、互いに角度をなして設けられた２つのガラス装着溝を有し、各ガラス装着溝にシール材を介してガラスパネルの端部を嵌着し、
前記躯体への取付け部は、前記２つのガラス装着溝の間から室内側に突出して設けられ、
前記躯体への取付け部は、その室内側端部の幅より、前記室外側端部の幅が狭くなるように形成した
ことを特徴とする。
【発明の効果】
【０００７】
本発明の外壁材の出隅方立は、その躯体への取付け部を、室内側端部より室外側端部の幅が狭くなるように形成したので、パネル装着溝を構成する室内側パネル保持部の位置を、出隅方立のコーナー部に近い位置に設定することができる。これに伴い、この室内側パネル保持部とガラスパネルとの間に介在させるシール材の位置をコーナー部に近い位置、すなわち外部から見えにくい位置に設定することができるので、外観が向上する。
【発明を実施するための最良の形態】
【０００８】
図１は本発明による外壁材の一実施の形態を示す斜視図である。図１において、１は出隅方立、２は外壁の平面部を構成する方立、３は無目、４は無目３と方立１、２または方立２、２とで囲まれた領域に装着されたガラスパネルである。方立１、２および無目３は押出形材により構成される。
【０００９】
図２はこの外壁材の出隅方立１の近傍部分を示す横断面図である。図２において、５は躯体を構成する床であり、この床５にはボルト６、ナット７により取付け板８Ａ、８Ｂが固定される。出隅方立１は、室外側部分１ａと、室外側部分１ａのコーナー部、すなわち２つのパネル装着溝２０、２１の間から室内側に突出させて設けた躯体への取付け部１ｂとからなる。この躯体への取付け部１ｂは、前記取付け板８Ａに対し、ブラケット９Ａおよびボルト１０、ナット１１により結合される。
【００１０】
前記外壁の平面部を構成する方立２も、室外側部分２ａと、室外側部分２ａから室内側に突出させて設けた躯体への取付け部２ｂとからなる。この躯体への取付け部２ｂは、前記取付け板８Ｂに対し、ブラケット９Ｂおよびボルト１２、ナット１３により結合される。
【００１１】
なお、１４は火災が上階へ延焼することを防ぐために設けられた防火パネルであり、この防火パネル１４は、ガラスパネル４による採光面積をそれほど削減しない程度の上下幅を有して天井近くに取付けられる。１５、１６は前記防火パネル１４を取付けるために、前記ブラケット９Ａ、９Ｂに取付けられた押出形材製の防火パネル取付け部材である。
【００１２】
図２において、室内側からの外観を良好にするため、前記出隅方立１の躯体への取付け部１ｂの室内側端部の幅ａは、他の方立２の躯体への取付け部２ｂの室内側端部の幅ｂと等しく（ａ＝ｂ）形成される。また、室外側からの外観を向上させるため、出隅方立１の２つの室外側の面の幅ｃは、他の方立２の室外側の面の幅ｄに等しく（ｃ＝ｄ）形成される。この例では前記各幅ａ〜ｄはすべて等しく形成される。
【００１３】
図３は前記出隅方立１の周りの部分を拡大して示す横断面図である。ただし図３においては、躯体への取付け部１ｂにおける補強用の中部材１７（図２参照）の図示を省略している。図３に示すように、出隅方立１のパネル装着溝２０、２１の開口部の向きは角度をなして形成され（すなわち１８０度以外の角度を形成する。）、一般的には９０度異ならせて形成される。
【００１４】
２２、２３はそれぞれ前記溝２０、２１を構成する室外側パネル保持部２４、２５とガラスパネル４の室外側縁との間に介在させた乾式または湿式のシール材、２６、２７はそれぞれこれらのシール材２２、２３が溝２０、２１内に逸脱することを防止するためのバックアップ材である。
【００１５】
３０、３１それぞれ溝２０、２１を構成する室内側パネル保持部３２、３３とガラスパネル４の室内側縁との間に介在させた乾式または湿式のシール材、３４、３５はそれぞれこれらのシール材３０、３１が溝２０、２１内に逸脱することを防止するためのバックアップ材である。
【００１６】
前記出隅方立１の躯体への取付け部１ｂの室外側端部の幅ｅは、躯体への取付け部１ｂの室内側端部の幅ａより狭く（ａ＞ｅ）形成される。
【００１７】
図４は前記実施の形態との対比のため、前記出隅方立１の躯体への取付け部１ｂの室外側部分側の幅ｆを、躯体への取付け部１ｂの室内側端部の幅ａに等しく（ａ＝ｆ）形成した比較例を示すものであり、前記特許文献の構造を踏襲したものである。
【００１８】
図３、図４の対比から分かるように、本発明の実施の形態による図３の場合、躯体への取付け部１ｂを、室内側端部より室外側端部の幅が狭くなる（ａ＞ｅ）ように形成したので、パネル装着溝２０、２１を構成する室内側ガラス保持部３２、３３の位置を、図４の比較例よりも出隅方立１のコーナー部に近い位置に設定することができる。
【００１９】
すなわち、図３に示す本発明の実施の形態において、室外側ガラス保持部２４、２５と室内側ガラス保持部３２、３３との間の突出量の差ｇは、図４に示す比較例における同じ部分の突出量の差ｈより小さくなる（ｇ＜ｈ）。なお、この突出量ｇは、ガラスパネル４の厚さと、前記躯体への取付け部１ｂにおける両端部の幅の差（ａ−ｅ）の大きさによってはマイナスとすることも可能である。
【００２０】
このように、前記突出量ｇが小さくなるので、この室内側ガラス保持部３２、３３とガラスパネル４との間に介在させるシール材３０、３１の位置を出隅方立１のコーナー部に近い位置、すなわち外部から見えにくい位置に設定することが、外観が向上する。特に本実施の形態のようにガラスパネル４が２重パネルである場合には、図４に示す構成では前記突出量の差ｈが大きくなるが、本発明による場合には前記差ｇが小さくなるので、本発明の外観向上の効果が大となる。
【００２１】
また、本実施の形態においては、出隅方立１の室内側端部の幅ａと他の方立２の室内側の幅ｂを等しく形成しており、また、出隅方立１の２つの室外側の面の幅ｃは、他の方立２の室外側の面の幅ｄに等しく（ｃ＝ｄ）形成しているので、方立の室内側、室外側から見た幅が揃い、この点においてもさらに外観が向上する。
【図面の簡単な説明】
【００２２】
【図１】本発明による外壁材の一実施の形態を示す斜視図である。
【図２】本実施の形態の外壁材の出隅方立近傍部分を示す横断面図である。
【図３】図２の要部拡大横断面図である。
【図４】図３の外壁材と対比する比較例の拡大横断面図である。
【符号の説明】
【００２３】
１：出隅方立、１ａ：室外側部分、１ｂ：躯体への取付け部、２:平面部を構成する方立、２ａ：室外側部分、２ｂ：躯体への取付け部、３：無目、４：ガラスパネル、５：床、６：ボルト、７：ナット、８Ａ、８Ｂ：取付け板、９Ａ、９Ｂ：ブラケット、１０:ボルト、１１：ナット、１２：ボルト、１３：ナット、１４：防火パネル、１５、１６：防火パネル取付け部材、１７：中部材、２０、２１：パネル装着溝、２２、２３：シール材、２４、２５：室外側パネル保持部、２６、２７：バックアップ材、３０、３１：シール材、３２、３３：室内側パネル保持部、３４、３５：バックアップ材、ａ：躯体への取付け部１ｂの室内側端部の幅、ｅ：躯体への取付け部１ｂの室外側端部の幅
【図１】
2006028814.tif 000003
【図２】
2006028814.tif 000004
【図３】
2006028814.tif 000005
【図４】
2006028814.tif 000006